(57)【要約】【課題】  部分床義歯用義歯を歯肉に柔軟に密接させることができ、しかも、部分床義歯用義歯の間の残存歯を露出して美しさに優れた部分床義歯用安定グリップを提供する。【解決手段】  部分床義歯用安定グリップ２は、残存歯１０の両側に装着される義歯床１ａおよび人口歯１ｂとからなる部分床義歯１と、この部分床義歯１と歯肉１１との間に介在させて部分床義歯１を安定させる安定グリップ２であって、安定グリップ２は、柔軟に変形可能な表面が平滑な０．１ｍｍから０．４ｍｍの厚みを有する筒部２ａと、残存歯１０に対応させたブリッジ部２ｂが形成され、筒部２ａを部分床義歯１に被覆するとともに、ブリッジ部２ｂを残存歯１０に対応させ、部分床義歯１を装着したとき、ブリッジ部２ｂを残存歯１０の裏面に配置させ、歯肉１１と義歯床１ａの間に介在した安定グリップ２が水分によって吸着される。【選択図】図１
2018149254.tif 000002
【特許請求の範囲】
【請求項１】
残存歯の両側に装着される義歯床および人口歯とからなる部分床義歯と、この部分床義歯と歯肉との間に介在させて前記部分床義歯を安定させる安定グリップであって、
前記安定グリップは、柔軟に変形可能な表面が平滑な０．１ｍｍから０．４ｍｍの厚みを有する筒部と、前記残存歯に対応させたブリッジ部が形成され、
前記安定グリップの前記筒部を前記部分床義歯に被覆するとともに、前記ブリッジ部を前記残存歯に対応させ、前記部分床義歯を装着したとき、前記ブリッジ部を前記残存歯の裏面に配置させ、
前記歯肉と前記義歯床の間に介在した前記安定グリップが水分によって吸着させることを特徴とする部分床義歯用安定グリップ。
【請求項２】
安定グリップは、ポリ酢酸ビニル、ポリエチレン、ニトリル、塩化ビニル等からなる合成樹脂、または、ラテックスよって形成された請求項１に記載の部分床義歯用義歯安定グリップ。
【発明の詳細な説明】
【技術分野】
【０００１】  本発明は、義歯と歯肉との間に介在させて部分床義歯を安定させる部分床義歯用義歯安定グリップに関するものである。
【背景技術】
【０００２】  義歯は失った歯の代わりとなるものであり、歯が１本もない人のための総義歯と部分的に歯がない人のための部分床義歯とがある。何れも歯を抜いた部分の歯茎の粘膜で咬む力を支える構造になっている。義歯は、人口歯茎および人口歯とから構成され、人口歯茎を着用者の本来の歯茎に密着させて固定することにより、人口歯で食べ物を噛むものである。ところが、このような義歯の大きな問題として人口歯茎と本来の歯茎との間に僅かながら間隙が生じることがままあり、そのためこの間隙に異物が混入した場合、物を噛んだ際に痛みが生じることになる。また、間隙が生じると言うことは義歯が安定して固定されていないということであり、そのまま外れたり、異常な噛み合わせになる場合がある。【０００３】  このような不具合を解消するために近年普及しているのが、いわゆる「入れ歯安定材」などと称されるゲル状のもので、チューブなどに封入された形態で市販されている。義歯の使用者はこのゲル状安定材を必要量だけ人口歯茎に取り、これを歯茎に押し付けて人口歯茎との間で均一に延び広がるようにして使用する。しかしながら、このようなゲル状安定材は、その使用量が僅かでも多かった場合、または大きな圧力で噛み合わせた場合は、噛み合わせの圧力で人口歯茎より外側にはみ出てしまい、違和感を感じることになる。さらに、はみ出した一部がちぎれ落ちて、そのまま体内に取りこんでしまうおそれがある。一方、使用量が少なすぎた場合は人口歯茎と歯茎との間が十分に埋まらないため、前記したような異物混入による不具合などが生じてしまうことがある。しかしながら、この「入れ歯安定材」は、総入れ歯に使用できるが、部分入れ歯の場合は、歯茎との接合面積が小さいために強度が不足するため使用できない。【０００４】  このゲル状安定材の問題点を解消するために、義歯と歯茎との間に介在させて義歯を安定させる義歯安定材が提案されている。たとえば、特開２０００−３１６８８３号公報（特許文献１）には、義歯の人工歯茎と口蓋との間に、厚さ方向に弾力性を有する不織布をシート状に形成した義歯安定材を介在させ、義歯と口蓋とを密着させて義歯を安定させることが開示されている。また、特開２００２−１８６６３３号公報（特許文献２）には、歯茎粘膜面と義歯床７の間に介在させる柔軟性を有するシ−トの歯茎粘膜面に接する片面にディンプルを多数設け、人工歯に咬合圧が加わると、歯茎粘膜面にシ−トのディンプルが強く圧迫されて、ディンプル内の空気を押し出して負圧にすることにより、歯茎粘膜面に吸着させることが開示されている。
【先行技術文献】
【特許文献】
【０００５】
【特許文献１】特開２０００−３１６８８３号公報
【特許文献２】特開２００２−１８６６３３号公報
【発明の開示】
【発明が解決しようとする課題】
【０００６】  特許文献１に示された義歯安定材は、上顎側の義歯の人口歯茎の密着面とほぼ同形状に形成された不織布で形成されていて、水で密着面を濡らして義歯安定材を密着させることにより、人体の口蓋に装着している。しかしながら、義歯安定材が不織布で形成されているため、食物等が不織布の内部に滲み込むため放置することができないことから、食事後に使用した義歯安定材を廃棄しなければならない問題がある。また、特許文献２に記載の有床義歯用安定無痛吸着シ−トは、シ−トの片面３に浅い小さなディンプルを多数設け、このディンプル内を負圧にして吸着させるようにしているが、ディンプルを形成するためには、シートを厚く形成しなくてはならず、このため剛性が増加することから、歯茎粘膜面との吸着個所が減少し、所定の吸着効果が得られない問題がある。しかも、ディンプルによって凹凸な面に形成されるので、人体の口蓋に装着した場合に違和感を覚えることがある。このような特許文献１及び特許文献２に記載された義歯安定材や吸着シートは、やはり総入れ歯に使用ものであり、部分入れ歯に使用しても歯茎との接合面積が小さいことから接合強度が不足することから使用できない。【０００７】  本発明の課題は、以上のような問題点に鑑み、部分床義歯用義歯を歯肉に柔軟に密接させることができ、しかも、部分床義歯用義歯の間の残存歯を露出して美しさに優れた部分床義歯用安定グリップを提供することにある。
【課題を解決するための手段】
【０００８】  上記課題を解決するため、本発明による部分床義歯用安定グリップは、残存歯の両側に装着される義歯床および人口歯とからなる部分床義歯と、この部分床義歯と歯肉との間に介在させて前記部分床義歯を安定させる安定グリップであって、前記安定グリップは、柔軟に変形可能な表面が平滑な０．１ｍｍから０．４ｍｍの厚みを有する筒部と、前記残存歯に対応させたブリッジ部が形成され、前記筒部を前記部分床義歯に被覆するとともに、前記ブリッジ部を前記残存歯に対応させ、前記部分床義歯を装着したとき、前記ブリッジ部を前記残存歯の裏面に配置させ、前記歯肉と前記義歯床の間に介在した前記安定グリップが水分によって吸着させることを要旨としている。【０００９】  また、安定グリップは、ポリ酢酸ビニル、ポリエチレン、ニトリル、塩化ビニル等からなる合成樹脂、または、ラテックスよって形成することが望ましい。
【発明の効果】
【００１０】  本発明の部分床義歯用安定グリップによれば、この安定グリップが、柔軟に変形可能な表面が平滑な０．１ｍｍから０．４ｍｍの厚みを有する板材によって形成しているので、歯肉の粘膜面の形状に応じて柔軟に変形するので、顎骨を覆う歯肉と義歯床の形状に合わせて密接させることができ、義歯の安定性を確保することが可能となる。しかも、安定グリップが極薄に形成されているので、安定グリップに例え折り皺が生じても、使用者に痛みや違和感を与えることがなく良好な装着感を維持することができる。また、安定グリップが極薄なことから、歯肉と義歯床との間に異物が混入する恐れが解消される。さらに、安定グリップは、無毒な水や唾液等の水分によって吸着されるので、使用者に対する安全性が得られる。また、この部分床義歯用安定グリップは、残存歯を挟むように両側に装着したとき、ブリッジ部を残存歯の裏面に配置することができるので、残存歯が露出することから、美観を損なう恐れがない。さらに、部分床義歯のほぼ全体を筒状に形成しているので、義歯に予め挿入することで装着することができ、義歯と安定グリップとの位置決めが不要になり、高齢者であっても容易に装着することができる。【００１１】  安定グリップの素材として、ポリ酢酸ビニル、ポリエチレン、ニトリル、塩化ビニル等からなる合成樹脂、または、ラテックスを使用すると、これらの素材は、０．１ｍｍから０．４ｍｍの厚みであっても破断することなく柔軟に変形し、歯肉と義歯床に密接して吸着させることが可能となる。特に、ポリ酢酸ビニルは、無色透明、水に溶けない、無味無臭の樹脂であり、食品衛生法の厳しい規格基準に合致した無害の素材で有り、義歯を長時間使用しても安全性を維持することができる。
【図面の簡単な説明】
【００１２】
【図１】本発明の部分床義歯用安定グリップを装着した状態を示す斜視図である。
【図２】安定グリップを装着する順序を示す分解斜視図である。
【図３】安定グリップを部分床義歯に装着した状態を示す斜視図である。
【図４】安定グリップを部分床義歯に装着した状態を示す上面図である。
【図５】（Ａ）（Ｂ）（Ｃ）は、部分床義歯用安定グリップの変形例を示す斜視図である。
【発明を実施するための形態】
【００１３】  本発明による部分床義歯用安定グリップは、残存歯の両側に装着される義歯床および人口歯とからなる部分床義歯と、この部分床義歯と歯肉との間に介在させて前記部分床義歯を安定させる安定グリップであって、前記安定グリップは、柔軟に変形可能な表面が平滑な０．１ｍｍから０．４ｍｍの厚みを有する筒部と、前記残存歯に対応させたブリッジ部が形成され、前記筒部を前記部分床義歯に被覆するとともに、前記ブリッジ部を前記残存歯に対応させ、前記部分床義歯を装着したとき、前記ブリッジ部を前記残存歯の裏面に配置させ、前記歯肉と前記義歯床の間に介在した前記安定グリップが水分によって吸着させる。
【００１４】  以下、図面に基づいて本発明の好適な実施例について説明する。図１は、本発明による部分床義歯用安定グリップを装着した状態を示している。部分床義歯１は、図２に示すように、義歯床１ａに２個の人工歯１ｂが離間して配設されている。人工歯１ｂの間隔は、残存歯１０が配置される幅に設定されている。そして、義歯床１ａは、内面が残存歯１０の両側の歯肉１１に接合するように断面形状が略Ｕ字状に形成され、２個の人工歯１ｂの間には残存歯１０を挿通させるための透孔１ｃが形成されている。なお、上記の残存歯１０は、２個の人工歯１ｂの間に示した歯として説明しているが、図１、図２に示すように部分床義歯１の側方にも存在していることは勿論である。
【００１５】  この部分床義歯１には、部分床義歯用安定グリップ２（以下、安定グリップと略記する）によって義歯床１ａと２個の人工歯１ｂが覆われている。この安定グリップ２は、図２に示すように、部分床義歯１の一方端から挿入することによって装着することができる。
【００１６】  安定グリップ２は、柔軟に変形可能な表面が平滑な０．１ｍｍから０．４ｍｍの厚みを有する板材によって形成されている。安定グリップ２としては、ポリ酢酸ビニルが好適である。ポリ酢酸ビニルは、無色透明、水に溶けない、無味無臭の樹脂であり、チューインガムのベース素材に使用されているように、食品衛生法の厳しい規格基準に合致した無害の素材である。このポリ酢酸ビニルを周知の手段によって、図２に示すように、両端側に筒部２ａと、この筒部２ａを連結するようにブリッジ部２ｂが形成されている。ブリッジ部２ｂは、図示のように、筒部２ａの間に透孔を形成した残部によって形成される。このブリッジ部２ｂの長さは、残存歯１０の幅と同じか小さくしている。また、筒部２ａの内径は、部分床義歯１の外形寸法よりもやや大きくゆとりをもたせた寸法に設定され、横方向の幅は部分床義歯１の幅に同じかやや大きくしている。
【００１７】  次に、部分床義歯１を歯肉に装着する手順について説明する。図２に示すように、部分床義歯１に安定グリップ２を挿入し、図３に示すように、両側の人工歯１ｂに筒部２ａを対応させる。これにより、ブリッジ部２ｂが透孔１ｃに対応している。
【００１８】  このように、安定グリップ２を挿入した部分床義歯１を、図２に示すように、上方から挿入し、透孔１ｃに残存歯１０を挿通しながら歯肉１１の上面に到達するまで嵌め込む。このとき、ブリッジ部２ｂが、図４に示すように、残存歯１０の裏面になるように配置する。これにより、残存歯１０の表面を露出させる。
【００１９】  そして、安定グリップ２の内面に僅かに水を付着させておくと、歯肉１１に押圧したときに、水膜によって安定グリップ２と義歯床１ａが真空状態となり、両者が密接して強固に吸着する。一方、安定グリップ２と歯肉４との間には、唾液等の水分が介在することから、安定グリップ２と歯肉４が真空状態となり、両者が吸着状態で密接し、この状態が維持される。このように、円筒状の安定グリップ２を装着した義歯１を歯肉１１に装着することによって、部分床義歯１の人工歯１ｂまで安定グリップ２により覆われる。この状態で食物を咀嚼すると、安定グリップ２が押圧される。ところが、部分床義歯１は噛み合いが良いように形成されているので、上下の歯により面で食物を噛み砕くので、安定グリップ２が破れることは殆どない。また、人工歯１ｂの間の残存歯１０は、他の残存歯と同様に上面が露出しているので、通常の歯と同様に食物を咀嚼することができる。
【００２０】  上述した安定グリップ２は、０．１ｍｍから０．４ｍｍの厚みとしている。これは、種々の実験により得られた厚みである。０．１ｍｍ以下の厚さとした安定グリップ２を使用した場合、比較的破れ易くなるとともに、食物を咀嚼したときに比較的破れ易くなり、寿命が短くなって実用的ではなくなる。一方、０．４ｍｍよりも厚くした場合は、破れ難くなるが、柔軟性が少なくなって義歯１と歯肉４の形状に合わせて変形し難いことから、密着性が悪なって、義歯１が歯肉４から離脱することがある。義歯１を長時間使用しても安全性を維持することができる安定グリップ２の厚さとしては、０．１ｍｍから０．４ｍｍとすることが良い。
【００２１】  上述した実施例に示した安定グリップ２は、残存歯１０の両側が欠損した場合に使用する部分床義歯１に適合するように形成したものである。しかし、残存歯の数、或いは欠損した個所は各々異なる場合がある。図５に示した安定グリップは、多様な部分床義歯１に適合させるように形成したものである。図５（Ａ）に示す安定グリップ２０は、ブリッジ部２０ｂを形成する透孔を略四角形に形成している。両側の筒部２０ａは上述した実施例と同様である。図５（Ｂ）に示す安定グリップ２１は、ブリッジ部２１ｂを離間させて２個所に形成するための透孔を２個所に形成している。両側の筒部２１ａは上述した実施例と同様である。さらに、図５（Ｃ）に示す安定グリップ２２は、残存歯が複数個存在する場合に使用するものであり、ブリッジ部２２ｂを長くするために透孔の幅を大きく形成している。両側の筒部２２ａは上述した実施例と同様である。このように、安定グリップは、部分床義歯１の形態に応じて適宜な形状に形成される。
【００２２】  以上、本発明を実施例に基づき具体的に説明したが、本発明は上記実施例に限定されるものではなく、その要旨を逸脱しない範囲で種々変形可能であることは言うまでもない。安定グリップの形状は、柔軟な樹脂であり、必ずしも図示のような円筒状に保持されないこともあるが、原形として四角形等の多角形としても良い。
【符号の説明】
【００２３】１    部分床義歯
１ａ  義歯床
１ｂ  人工歯
１ｃ  透孔
２    安定グリップ
２ａ  筒部
２ｂ  ブリッジ部
１０  残存歯
１１  歯肉
【図１】
2018149254.tif 000003
【図２】
2018149254.tif 000004
【図３】
2018149254.tif 000005
【図４】
2018149254.tif 000006
【図５】
2018149254.tif 000007